(57)【要約】【課題】  本発明は、アナログ的な音響信号調整及びデジタル的な音響信号調整を組み合わせて音響入力信号の音量を調整し、特に、アナログ信号とデジタル信号の切換時に生じるノイズを低減するための電子機器及び音響信号調整装置並びに音響信号調整方法を得る。【解決手段】  アナログアンプ等のゲイン切換器１５Ａ、１５Ｂとデジタルゲイン調整器１９Ａ，１９Ｂとを組み合わせ、異なる２系列の信号を交互に切換ながら音響信号の音量レベルの調整をする電子機器及び音響信号調整装置並びに音響信号調整方法を提供する。【選択図】    図１
2007036377.tif 000002
【特許請求の範囲】
【請求項１】
アナログ音響信号のゲインレベルをアナログゲインレベル調整手段及びデジタルゲインレベル調整手段を介して調整可能と成した電子機器に於いて、
前記アナログ音響信号を複数のゲインに切換可能な第１及び第２のアナログゲインレベル切換手段と、
前記第１及び第２のアナログゲインレベル切換手段の出力が供給されてデジタル化される第１及び第２のアナログーデジタル変換手段と、
前記第１及び第２のアナログーデジタル変換手段によってデジタル化された前記アナログ音響信号のデジタルゲインレベルを調整する第１及び第２のデジタルゲインレベル調整手段と、
前記第１及び第２のデジタルゲインレベル調整手段からの出力を交互に出力するデータ切換手段と、を具備し、
前記第１及び第２の経路に配したアナログゲインレベル切換手段及びデジタルゲインレベル調整手段並びにデータ切換手段を制御する制御手段によって切換時に発生するノイズを低減するように成したことを特徴とする電子機器。
【請求項２】
アナログ音響信号のゲインレベルをアナログゲインレベル調整手段及びデジタルゲインレベル調整手段を介して調整可能と成した音響信号調整装に於いて、
前記アナログ音響信号を複数のゲインに切換可能な第１及び第２のアナログゲインレベル切換手段と、
前記第１及び第２のアナログゲインレベル切換手段の出力が供給されてデジタル化される第１及び第２のアナログーデジタル変換手段と、
前記第１及び第２のアナログーデジタル変換手段によってデジタル化された前記アナログ音響信号のデジタルゲインレベルを調整する第１及び第２のデジタルゲインレベル調整手段と、
前記第１及び第２のデジタルゲインレベル調整手段からの出力を交互に出力するデータ切換手段と、を具備し、
前記第１及び第２の経路に配したアナログゲインレベル切換手段及びデジタルゲインレベル調整手段並びにデータ切換手段を制御する制御手段によって切換時に発生するノイズを低減するように成したことを特徴とする音響信号調整装置。
【請求項３】
アナログ音響信号のゲインレベルをアナログゲインレベル調整手段及びデジタルゲインレベル調整手段を介して調整可能と成した音響信号調整方法に於いて、
前記アナログ音響信号を第１及び第２のアナログゲインレベル切換手段により複数のゲインに切換るステップと、
前記第１及び第２のアナログゲインレベル切換手段の出力が供給される第１及び第２のアナログーデジタル変換手段によりデジタル化するステップと、
前記第１及び第２のアナログーデジタル変換手段によってデジタル化された前記アナログ音響信号のデジタルゲインレベルを第１及び第２のデジタルゲインレベル調整手段で調整するステップと、
前記第１及び第２のデジタルゲインレベル調整手段からの出力をデータ切換手段で交互に出力するステップと、を具備し、
前記第１及び第２の経路に配したアナログゲインレベル切換手段の複数のゲインに切換るステップ及びデジタルゲインレベル調整手段の調整ステップ並びにデータ切換手段で交互に出力するステップを制御手段によって制御して切換時に発生するノイズを低減するように成したことを特徴とする音響信号調整方法。
【発明の詳細な説明】
【技術分野】
【０００１】
本発明は、アナログ的な音響信号調整及びデジタル的な音響信号調整を組み合わせて音響入力信号の音量を調整する電子機器及び音響信号調整装置並びに音響信号調整方法に係わり、特に、アナログ信号とデジタル信号の切換時に生じるノイズを低減するための電子機器及び音響信号調整装置並びに音響信号調整方法に関するものである。
【背景技術】
【０００２】
従来から、アナログ音響信号をアナログーデジタル変換（以下ＡＤＣと記す）或いはデジタルデータをアナログーデジタル変換する（以下ＤＡＣと記す）ためのＡＤＣ、ＤＡＣ、入力出力信号再生装置などの電子機器に於いて、信号レベルの音量調整手段としては、可変抵抗器（以下ＶＲと記す）、ＶＣＡ（電圧制御アンプ）、ＰＧＡ（プログラマブル・ゲイン・アンプ）等でアナログ的に音響信号の音量調整を行う方法が一般的である。上記したＶＲにより直接的に音量レベル調整する方法ではＶＲ自体に信号を通すのでオーディオアンプ基板とＶＲ位置が離れている場合は途中でノイズを拾ってしまう可能性があり何らかの配慮や対策が必要とされる。ＶＡＣによるレベル調整方法は一般的に歪率やノイズレベルがあまりよくなく、歪率調整可能なものは低歪率に追い込むことは可能だが調整工数が必要となる。また歪率や信号レベルなどは温度特性を持っており、変化量が許容できない場合は補正手段を用意する必要がある。ＰＧＡによるレベル調整方法では、調整するためのゲインステップが小さいもの（０.５ｄＢ程度）であってもゲイン切換時にクリックノイズが聞こえ、これを抑えるには０.１ｄＢ程度のステップが必要となる課題があった。
【０００３】
また、入出力データをデジタル的にゲインレベル調整する方法も知られている。デジタルゲインのみによるレベル調整方法では最大許容入力とＳＮの両立が難しい。即ち、最大許容入力信号時にクリップしないよう信号を減衰可能にするためには最大入力信号時にＡＤＣの入力がフルレベルになるよう通常より所定量だけ低レベルに設定すればよいが、それでは基準入力信号を基準の調整位置で受ける場合は信号レベルが所定量分だけ小さくなってしまうのでデジタル領域でのゲインアップが必要となり、その分ノイズレベルが増加してしまう。ＡＤＣの最大入力をオーバした状態の信号データに対して  デジタルゲインでレベルを下げる処理（−のデジタルゲイン）をすると信号データとしてはクリップしているにもかかわらずレベルオーバ表示がなされなくなってしまう課題がある。
【０００４】
更に、アナログ的調整とデジタル的調整を組合せて入出力信号レベル調整を行う方法の技術が特許文献１乃至特許文献３に開示されている。特許文献１に開示の技術は、オーディオ機器の音量調整などの回転摘みを使用した調整が迅速に所望のレベルに調整できると共に任意のレベルに調整する方法が示されている。即ち、オーディオ信号の出力音量などを調整するＶＲと、回転操作が可能な回転型操作手段と、この回転型操作手段の回転状態を検出する回転検出手段（ロータリーエンコーダ）を有し、回転検出手段が第１の回転状態を検出したとき、ＶＲでの出力調整を第１のステップ数で変化する第１の調整モードに設定し、第１の回転状態より早い速度で回転される第２の回転状態を検出したとき、ＶＲでの出力調整を第１のステップ数よりステップ数の少ない第２のステップ数で順に変化させる第２の調整モードを設定する制御手段を備えた入力装置が示されている。この文献に開示の技術は粗調整モードと微調整モードとを音量調整するものである。
【０００５】
特許文献２には、アナログ入力回路に対する制御を離れた場所から良好に行えるようにし操作性を向上させたアナログ信号処理装置が開示されている。即ち、アナログ形式の入力信号の入力端子と、入力信号に対する調整レベルを指定するレベル指定信号が離れて設置される操作装置から伝送路を介して供給されるレベル指定手段と、このレベル指定手段に供給されるレベル指定信号により指定されるレベルに基づいて入力信号のレベルをアナログ回路により複数段階のいずれかに調整する第１のレベル調整手段と、この第１のレベル調整手段によりレベル調整された入力信号をデジタル形式に変換するデジタル化手段と、レベル指定手段のレベル指定信号により指定されるレベルに基づいてデジタル化された入力信号のレベルをデジタル回路により調整するものであって、第１のレベル調整手段によって調整される段階の間を補間するレベル調整を行う第２のレベル調整手段を有すアナログ信号処理装置が開示されている。この構成は、アナログレベルで調整される段階をデジタル的に補間するものである。
【０００６】
更に、また、特許文献３にはアナログＶＲに比べて配線の煩わしさを低減すると共にＤＡＣの後段にアナログ減衰器を設けることでアナログゲインの切換時に生ずるノイズを低減するための音量可変装置が開示されている。即ち、図７に示す様に、この音量可変装置はＤＳＰ（デジタル信号処理装置）３内に設けたデジタル減衰器５とＤＳＰ３外に設けられたアナログ減衰器７とを備え、デジタル減衰器５が入力された音声信号を指示された減衰量で減衰した後、アナログ減衰器７は、指定された減衰量で、さらに減衰して出力する。ＤＳＰ３内部の減衰量制御部１２は、外部コントローラ１１から指示する音量ボリュームデータに基づき、デジタル減衰器５の減衰量を制御して音量を微調整する。また、減衰量制御部１２は、データに基づき、アナログ減衰器７の減衰量を制御して音量を主調整する。アナログ減衰器７と減衰量制御部１２とを接続する制御線１３の本数は、アナログ減衰器７が設定可能な減衰量の数に応じて設定される。尚、図７で1はデータの入力される入力端子、２はＡＤＣ、４は信号処理部、６はＤＡＣ、８はメインアンプ、９はスピーカ、１０はキー入力部である。
【０００７】
特許文献３ではＡＤＣ２の後段に本発明と同様なアナログゲインとデジタルゲインの組合せを連動させて用いる音量可変装置が開示されている。この公開技術ではアナログゲインが切換るときに発生するノイズが避けられないので、減衰量制御手段がデジタル減衰器又はアナログ減衰器へ減衰量を指定するタイミングをアナログ減衰器又はデジタル減衰器へ減衰量を指定するタイミングより遅延させる第１遅延手段又は第２遅延手段を備える構成としている。それゆえ、アナログ減衰器又はジタル減衰器の減衰量を指示してから音量が変化するまでの時間が、デジタル減衰器又はアナログ減衰器に比べて長い場合に、両減衰器は、音量可変装置の出力において、音量を同時に変更できるので両減衰器による音量変化のズレに起因したノイズを低減しているため第１及び第２の遅延手段を設ける必要が生ずる。
【特許文献１】特開２００２−１０１４８５号公報
【特許文献２】特開２０００−２７８０５０号公報
【特許文献３】特開平０９−１５３７４８号公報
【発明の開示】
【発明が解決しようとする課題】
【０００８】
本発明は上述の課題を解決するために成されたもので、本発明が解決しようとする課題はアナログゲイン調整手段とデジタルゲイン調整手段の組合せを連動させて用いる際の切換時のノイズを低減するために２組のアナログゲイン調整手段の経路とデジタルゲイン調整手段経路の組み合わせを用意し、それぞれの切換え位置が交互に生じるように設定し、アナログゲイン切換時に生じるノイズを避けながらレベル調整信号データを取り出すことにより、ノイズを低減可能な電子機器及び音響信号調整装置並びに音響信号調整方法を得ようとするものである。
【課題を解決するための手段】
【０００９】
第１の本発明の電子機器は、アナログ音響信号のゲインレベルをアナログゲインレベル調整手段及びデジタルゲインレベル調整手段を介して調整可能と成した電子機器に於いて、アナログ音響信号を複数のゲインに切換可能な第１及び第２のアナログゲインレベル切換手段と、第１及び第２のアナログゲインレベル切換手段の出力が供給されてデジタル化される第１及び第２のアナログーデジタル変換手段と、第１及び第２のアナログーデジタル変換手段によってデジタル化されたアナログ音響信号のデジタルゲインレベルを調整する第１及び第２のデジタルゲインレベル調整手段と、第１及び第２のデジタルゲインレベル調整手段からの出力を交互に出力するデータ切換手段と、を具備し、第１及び第２の経路に配したアナログゲインレベル切換手段及びデジタルゲインレベル調整手段並びにデータ切換手段を制御する制御手段によって切換時に発生するノイズを低減するように成したものである。
【００１０】
第２の本発明の音響信号調整装置は、アナログ音響信号のゲインレベルをアナログゲインレベル調整手段及びデジタルゲインレベル調整手段を介して調整可能と成した音響信号調整装に於いて、アナログ音響信号を複数のゲインに切換可能な第１及び第２のアナログゲインレベル切換手段と、第１及び第２のアナログゲインレベル切換手段の出力が供給されてデジタル化される第１及び第２のアナログーデジタル変換手段と、第１及び第２のアナログーデジタル変換手段によってデジタル化されたアナログ音響信号のデジタルゲインレベルを調整する第１及び第２のデジタルゲインレベル調整手段と、第１及び第２のデジタルゲインレベル調整手段からの出力を交互に出力するデータ切換手段と、を具備し、第１及び第２の経路に配したアナログゲインレベル切換手段及びデジタルゲインレベル調整手段並びにデータ切換手段を制御する制御手段によって切換時に発生するノイズを低減する様にしたものである。
【００１１】
第３の本発明の音響信号調整方法は、アナログ音響信号のゲインレベルをアナログゲインレベル調整手段及びデジタルゲインレベル調整手段を介して調整可能と成した音響信号調整方法に於いて、アナログ音響信号を第１及び第２のアナログゲインレベル切換手段により複数のゲインに切換るステップと、第１及び第２のアナログゲインレベル切換手段の出力が供給される第１及び第２のアナログーデジタル変換手段によりデジタル化するステップと、第１及び第２のアナログーデジタル変換手段によってデジタル化された前記アナログ音響信号のデジタルゲインレベルを第１及び第２のデジタルゲインレベル調整手段で調整するステップと、第１及び第２のデジタルゲインレベル調整手段からの出力をデータ切換手段で交互に出力するステップと、を具備し、第１及び第２の経路に配したアナログゲインレベル切換手段の複数のゲインに切換るステップ及びデジタルゲインレベル調整手段の調整ステップ並びにデータ切換手段で交互に出力するステップを制御手段によって制御して切換時に発生するノイズを低減する様にしたものである。
【発明の効果】
【００１２】
本発明によれば、大きな最大許容入力と低ノイズの音量調整の両立可能で、かつ、音響入力信号の音量調整レベルを最大から最低（-∞）まで連続的に変えてもクリックがなくスムースに変化させることができる。また、ノイズ性能が劣る素子や歪の調整を要する素子などを用いずに済む電子機器及び音響信号調整装置並びに音響信号調整方法を提供することが可能である。
【発明を実施するための最良の形態】
【００１３】
以下、本発明の１形態例を図１乃至図６によって説明する。図１は、本発明の電子機器及び音響信号調整装置並びに音響信号調整方法の１形態例を示す全体的系統図、図２は、本発明の電子機器及び音響信号調整装置並びに音響信号調整方法のアナログゲインとデジタルゲインの関係およびアナログゲインと２つの経路切換時の位置関係を示す１形態例のグラフ、図３は、本発明の電子機器及び音響信号調整装置並びに音響信号調整方法の一方のＡ経路のゲイン制御方法を示す１形態例のフローチャート、図４は、本発明の電子機器及び音響信号調整装置並びに音響信号調整方法の他方のＢ経路のゲイン制御方法を示す１形態例のフローチャート、図５は、本発明の電子機器及び音響信号調整装置並びに音響信号調整方法の２つの経路切換時のゲイン制御方法を示す１形態例のフローチャート、図６は、本発明の電子機器及び音響信号調整装置並びに音響信号調整方法で音量調整をした時の各部のゲイン（以下で用いる「ゲイン」とは＋「＝いわゆるゲイン」と−「＝減衰」の両方の意を含むものとする。）を示す表である。
【００１４】
以下本発明の電子機器及び音響信号調整装置５０の全体的なブロックを図１に示す。図１に於いて、入力端子１４に供給された１系統のアナログオーディオ信号等の音響信号ＡＳは複数のゲイン切換機能を持つアナログアンプ等の２つのゲイン切換器１５Ａ及びゲイン切換器１５Ｂに供給される。これらは、例えば、図６の表１に示す様に４ｄＢステップで８段階のゲインを持ち、ゲイン切換器１５Ａは＋１８ｄＢ〜−１０ｄＢ、ゲイン切換器１５Ｂは＋２０〜−８ｄＢの範囲の切換を行う。この８段階のアナログゲインの切換にはアナログスイッチを用いることが出来る。
【００１５】
その後、２系路専用のＡＤＣ１６Ａ及びＡＤＣ１６Ｂでアナログ音響信号ＡＳはデジタルデータに変換される。ＡＤＣ１６Ａ、１６Ｂで変換されたデジタルデータはプログラマブルロジックデバイス（以下ＰＬＤと記す）１７内の２つの例えば、デジタルゲイン補正器１８Ａ、１８Ｂにより０〜＋０.５ｄＢ範囲で微調整した後に例えば、−１ｄＢ〜＋３ｄＢ範囲（４ｄＢの幅）のデジタルゲイン調整器１９Ａ、１９Ｂに入力する。その後のゲイン切換器１５Ａ、１５Ｂで切換えた夫々のデータは各経路（以下Ａ経路及びＢ経路と記す）を介してクロスフェード動作させてＡ経路又はＢ経路のいずれかの系路にデータ切換器２０で切換を行い、最終的に所要の音量調整されたデジタルオーデイオデータ等の音響デジタルデータＡＤＤを得た後に、記録再生処理回路等の次の信号処理手段２１に供給される。デジタルゲイン補正器１８Ａ、１８Ｂとデジタルゲイン調整器１９Ａ、１９Ｂ及びクロスフェードのデータ切換器２０のデジタル処理及び後述する制御部３３は１つのＰＬＤ１７内で処理されている。
【００１６】
上述の構成に於いて、ゲイン切換器１５Ａとゲイン切換器１５Ｂは必要とされる異なるゲインを持たせることができれば、素子としては何でも良く、また同一のものであってもよい。例えばステップが所要のステップ数以上ある機能素子を用いかつ、Ａ経路とＢ経路の各系路用に適切なゲイン値を選択することができるものであればゲイン切換器１５Ａとゲイン切換器１５Ｂは同一の機能素子であっても構わない。
【００１７】
また、上記ゲイン切換器１５Ａ、１５Ｂのステップ数及びステップ量は、ゲイン切換器１５Ａは＋１８ｄＢ〜−１０ｄＢ、ゲイン切換器１５Ｂは＋２０〜−８ｄＢの範囲の切換を行ない、ステップ数８段階とステップ量４ｄＢとして説明したがこれは１実施例であり、必要に応じて変えることは当然である。この場合、ステップ量を小さくすると必要とされる＋のデジタルゲインアップ量は小さくなりノイズレベル増加も小さくて済むが、アナログ部でのゲイン対応範囲が狭くなる。逆にステップ量を大きくするとアナログ部でのゲイン対応範囲は広くなるが＋のデジタルゲインアップ量も大きくなり、ノイズレベルもその分増大する。両立させるにはその分ステップ数を増やすことが必要と成る。なお各ステップのステップ量は各段階全て同一値である必要はないがそれに応じた制御を行う必要がある。
【００１８】
アナログアンプで構成された上記ゲイン切換器１５Ａ、１５Ｂの各経路の実際のゲイン値は後述する目標のゲイン値（トータルケイン）に対して正確に一致させることが必要であるが、抵抗値の制限や抵抗の数が増やせない等の理由で目標値に対して僅かにずれることが考えられる。この様な場合、上述のＰＬＤ１７でＩＣ化したデジタルゲイン補正器１８Ａ、１８Ｂは、ゲイン切換器１５Ａ、１５ＢのＡ経路及びＢ経路の目標のゲイン値から実際のゲイン値の減算分を補正することで極力目標のゲイン値に近づけるが、Ａ経路及びＢ経路のゲイン値の誤差が充分に小さく出来れば、勿論これらデジタルゲイン補正器１８Ａ、１８Ｂは省略可能である。
【００１９】
また、ゲイン切換器１５Ａとゲイン切換器１５Ｂのゲイン差としてはＡ経路及びＢ系路のゲイン切換器１５Ａ、１５Ｂのゲイン値が２ｄＢ間隔に単一方向に交互に設定された場合を説明したが、所定間隔で単一方向に交互に設定されていればよく、例えばゲイン切換器１５Ａの切換えステップを−１０、−６、−３、＋１、＋５ｄＢ…とし、ゲイン切換器１５Ｂの切換えステップを−９、−５、−２、＋４、＋９ｄＢ…-等の非等間隔としてもよいことは明らかである。更に、ＡＤＣ１６Ａ、１６Ｂの感度差によってＡ経路及びＢ経路間のゲインバランスが崩れることがあるが、この場合は，半固定ＶＲなどを用いてアナログ的に感度差の補正を行なうか、感度差分をデジタル補正器１８Ａ、１８Ｂで補正するようにしても良い、この場合、基板毎に補正値が異なるので、その補正値を以下述べる不揮発性メモリ（図１参照）３２等に格納して置く必要がある。
【００２０】
ここでのデジタルゲイン補正器１６Ａ，１６Ｂでの補正は、通常ＡＤＣ１６Ａ、１６Ｂの感度差の補正に用いるが、ゲイン切換器１５Ａ及び１５Ｂの各段階間の小さなゲイン誤差を各段階に応じて補正制御することを合わせて行ってもよい。例えば、ゲイン切換器１５Ａ、１５Ｂをディスクリートで組む場合、使用する抵抗器の抵抗値の制限により各ステップのステップ量に小さなばらつきが生ずることが考えられるが抵抗器の数を増やせば正確に合わすことが出来るが、抵抗器を増やさず、ここでその微小なゲイン誤差分の補正を（ＡＤＣ１６Ａ、１６Ｂの感度差の補正とあわせて）行っても構わない。いずれにせよ、ばらつきの補正が目的なので、ばらつきが問題にならない程度であるのならこれらデジタルゲイン補正器１８Ａ，１８Ｂは設置しなくてもよい。
【００２１】
また、デジタルゲイン調整器１９Ａ、１９Ｂのゲインをデジタルゲイン補正器１８Ａ、１８Ｂの行う補正量を考慮して制御することで一つの機能要素で実現したり、Ａ系路とＢ系路を時分割動作により一つの機能要素で実現することも出来る。
【００２２】
Ａ経路及びＢ経路のデータ切換器２０の動作開始点は全て０ｄＢとしているが通常可変範囲内（上記では−１〜＋３ｄＢ）の０ｄＢ以上値であればよいし、音量調整量上昇時と下降時で異なる値であっても構わない。ただし値を大きくするほどノイズ悪化量も大きくなる。
【００２３】
上記したクロスフェード処理は実際のＡ経路及びＢ経路切換動作時に発生する小さなクリックを和らげるのが主目的なので、実際に用いる回路においてクロスフェード処理をしなくてもクリックが充分小さいのであれば、このクロスフェード処理部を設けなくても良い。デジタルゲイン調整器１９Ａとデジタルゲイン調整器１９Ｂのゲイン差とＡ経路及びＢ経路のトータルゲイン値は上述では常にゲイン差２ｄＢ（＝ステップ量の半分）及びトータルゲインは常に一致した場合を説明したが、経路Ａ及び経路Ｂのデータ切換器２０のクロスフェード期間中のみＡ経路及びＢ系路のトータルゲインが一致している（＝クロスフェード期間中以外はトータルゲインが不一致でも良い）様に成せばよい。
【００２４】
次に、音量調整量（本例では図６の表１のようにトータルゲイン値は＋２２ｄＢ〜−∞）の制御方法の構成を図１によって説明すると、電子機器又は音響信号調整装置５０を構成するフロントパネル基板２４のパネル或いはシャーシには、音響信号用ＶＲ摘み２３が設けられると共にメニュー操作信号ＭＳが供給される。摘み２２はアナログ用のＶＲ２５の回転軸に固定され手動回動可能とされている。摘み２３を回動することでＶＲ２５からの位置情報（ＤＣ）はＡＤＣ２６に供給され、デジタルデータに変換された後にフロントパネルマイコン２８に供給されて出力端子２９にＶＲ２４の位置に対応した０〜１００％のデジタルデータであるＶＲ位置情報ＰＤが出力される。
【００２５】
メニューボタン２７の操作に応じてメニュー操作信号ＭＳはフロントパネルマイコン２８に供給されて出力端子３０に出力される。メニューボタン２７の設定による例えば、ヘッドルームに対するヘッドルーム設定値（２０／１８／１６／１２ｄＢ，デフォルト２０ｄＢ）ＨＳは基本的には伝達のみをつかさどるメインマイコン３１に供給される。メインマイコン３１には必要に応じて不揮発性メモリ３２を付加しＶＲ位置情報ＰＤ、ヘッドルーム設定値ＨＳ、上記した感度差分をデジタル補正器１８Ａ、１８Ｂで補正するための基板毎の補正値等を格納する。メインマイコン２８からのＶＲ位置情報ＰＤとヘッドルーム設定値ＨＳはＰＬＤ１７内の制御部３３に供給される。
【００２６】
ＰＬＤ１７の制御部３３ではＶＲ位置情報ＰＤとヘッドルーム設定値ＨＳから目標のトータルゲイン値を決定する。この場合、メニューボタン２７で設定したヘッドルーム設定値ＨＳとデフォルト値とのゲイン差分をトータルゲイン値に反映させる。制御部３３はゲイン切換器１５Ａ側のＡ経路及びゲイン切換器１５Ｂ側のＢ経路のゲイン制御３４及びゲイン制御３５並びにＡ経路及びＢ経路の選択（切換え）制御３６を行なう。
【００２７】
Ａ経路のゲイン制御３４はＡ経路のゲイン切換器１５Ａ、Ａ経路のデジタルゲイン補正器１８Ａ、Ａ経路のデジタルゲイン調整器１９Ａを制御し、Ｂ経路のゲイン制御３５はＢ経路のゲイン切換器１５Ｂ、Ｂ経路のデジタルゲイン補正器１８Ｂ、Ｂ経路のデジタルゲイン調整器１９Ｂを制御し、また、Ａ経路及びＢ経路の選択制御３６はデータ切換器２０を切換制御する。
【００２８】
本例ではＡ経路のゲイン制御３４及びＢ経路のゲイン制御３５はＡ経路の各回路のトータルゲインとＢ経路の各回路のトータルゲインが常に目標のトータルゲイン値と同じになる様に設定され、Ａ経路及びＢ経路のゲイン制御３５及び３６は、Ａ経路及びＢ経路の２つのゲイン切換器１５Ａ及び１５Ｂの切換時に生ずるトータルゲイン値及びその近傍以外のゲイン値の時にＡ経路からＢ経路又はＢ経路からＡ経路への切換が生ずるように設定されている。
【００２９】
以下、上述の構成の電子機器及び音響信号調整装置の音量制御動作を詳記する。本発明の電子機器５０では１つの音響信号ＡＳに対してアナログ回路及びデジタル回路を組合せたＡ経路及びＢ経路を少なくとも２系路分用意し、音響信号ＡＳの音量調整はアナログアンプからなるゲイン切換器１５Ａ、１５Ｂのゲイン切換とデジタルゲイン調整器１９Ａ、１９Ｂのゲイン調整の組合せで行う。この場合、アナログゲイン切換は大きなステップの変化を担当し、デジタルゲイン調整は通常（後述する特別動作以外の時）そのステップ未満の小さな変化の部分を担当する。
【００３０】
図２のグラフはアナログゲインとデジタルゲインの関係及びゲイン切換器１５Ａ、１５Ｂの切換時に発生する切換ノイズとデータ切換器２０の位置関係を示すもので、図２の横軸はＶＲ２５からの位置情報ＰＤを、縦軸はトータルゲイン値（ｄＢ）を表し、符号３７の直線はＡ経路のトータルゲインを、符号３８に示す直線はＢ経路のトータルゲインを示し、Ａ１、Ａ２、Ａ３、Ａ４、Ａ５、ａ６はアナログゲイン担当分を、Ｄ１、Ｄ２、Ｄ３．Ｄ４、Ｄ５、Ｄ６はデジタルゲイン担当分を示している。図２ではＡ経路の直線３７とＢ経路の直線３８は同じゲイン値であるが動作説明に便なる様にトータルゲイン値を離して記載している。
【００３１】
音量調整位置（例えばＶＲ２５の回転角度に相当する）を最下位置から最上位置まで変化させた時にデータ切換器２０による２つのＡ／Ｂ系路の切換位置は交互にかつ異なる位置に存在するよう設定する。図２の破線の矢印位置でデータ切換器２０によりＡ経路からＢ経路或いはＢ経路からＡ経路にデータを切換ることで太線に示す様に最終出力を音響デジタルデータＡＤＤとして次の信号処理手段２１に供給している。
【００３２】
本発明では上述のＡ系路とＢ経路におけるアナログゲインとデジタルゲインを加算したトータルゲインは両系路で常に同じ値になるよう設定する。また、片方の系路でアナログゲインが切換り切換ノイズ３９が生ずる時には、常に他方の（アナログゲイン切換りが生じていないので切換ノイズ３９は発生しない）系路のデジタルデータを選択制御する。
【００３３】
また、データ切換器２０によるデータ切換は瞬間的に行わず徐々にデータが入れ換わる様なクロスフェード動作の制御にする。即ち、Ａ及びＢの各系路のデータに対し、片方のＡ経路のゲインを１００％⇒０％方向に時間とともに徐々に減少させ、他方のＢ経路は逆にゲインを０％⇒１００％方向に徐々に時間とともに増加させる制御を行なう。この際、１００％⇔０％間の変化はＡ経路及びＢ系路とも同時に開始し同時に終了させる。これらＡ、Ｂの両系路のデータを加算することで徐々にデータが入替わったデジタルデータを得る。この様なクロスフェード動作は一度開始したらデータが完全に入れ替わるまで止めない様にしている。
【００３４】
音量調整用のＶＲ２５位置情報ＰＤはクロスフェード動作の開始時点で更新を止め、完了後に（必要があれば）止めた時点以降のＶＲ位置情報ＰＤの変化を反映させる。クロスフェード動作の期間中はデジタルゲイン調整器１９Ａ、１９Ｂのゲインが０ｄＢ未満にならないよう制御している。
【００３５】
デジタルゲインが０ｄＢ未満の時のデータは、ゲイン切換器１５Ａ、１５Ｂにその上限/下限の範囲を超えたゲインが要求される場合、アナログゲインは上限/下限値にとどめ、不足分をデジタルゲイン調整器１９Ａ、１９Ｂに振り分けて行う様な特別動作時以外は本例では最終出力データとして用いないようにする、この理由はＡＤＣ１６Ａ、１６Ｂの最大入力をオーバした状態のデータに対して  デジタルゲインで下げてしまうと、信号データとしてはクリップしているにもかかわらずレベルオーバ表示がなされなくなってしまうためである。
【００３６】
Ａ経路及びＢ系路の最低アナログゲイン値のうち小さい側は、最大許容入力時にＡＤＣ１６Ａ、１６Ｂでクリップしないような値を設定するとともにＡＤＣ１６Ａ、１６Ｂからアナログ信号に応じたデジタルデータが出力されるまでＡＤＣ１６Ａ、１６Ｂ固有の一定時間かかるので、その後のデジタル信号処理で用いる制御値（＝デジタルゲイン補正器１８Ａ，１８Ｂに与えるゲイン値とデジタルゲイン調整器１９Ａ，１９Ｂに与えるゲイン値、およびデータ切換器２０の切換制御値）  は、ゲイン切換器１５Ａ、１５Ｂに与える制御値に対してＡＤＣ１６Ａ、１６Ｂ固有の一定時間だけ遅らせる遅延手段を介して供給するのが望ましい。理由は次の通り。遅延補正が正しくなされている場合、アナログゲイン切換が行なわれた部分のデータに対してデジタルゲインの段差部分の処理が施されるので、データストリーム上に存在するクリック部分はほぼ１箇所とみなせる。しかし遅延補正をしていないか又は遅延補正量が適当でない場合、アナログゲイン切換を行なった部分のクリックと、デジタルゲイン段差部分のクリックの２つが分かれて存在するようになる。一方Ａ／Ｂデータ切換は、大きなゲイン段差が生じるトータルゲイン値とは異なるトータルゲイン値で生じるように設定するのでＶＲ２５をゆっくり回している場合、その２つはなんら干渉することは考えられない。しかし遅延補正が正しく行われていない場合で、前述の時間差が大きく、かつＶＲ２５の回転を素早く行なった場合、Ａ／Ｂデータ切換タイミングと２つのクリックのどちらかが干渉してしまうことが考えられ、そうなると新たなクリックの発生が懸念さる。したがって、デジタルデータ処理はそのデータにふさわしいタイミングの情報を用いて実施しておくことが望ましい。この時間差補正は、究極０に追い込むような正確さは必要ではなく、ＶＲ２５を素早く回した時に新たなクリックが生じない程度に補正されていればそれでも構わない。場合によっては、全く補正無しでも上記２つの干渉が生じない、ということもあり得る。（ＶＲ２５の回転速度に上限設定が施されている場合など）
【００３７】
図１で説明した系統図において、アナログアンプを構成するゲイン切換器１５Ａ，１５Ｂが夫々４ｄＢステップで８段階のゲインを持ち、ゲイン切換器１５Ａは＋１８ｄＢ〜−１０ｄＢ、ゲイン切換器１５Ｂは＋２０〜−８ｄＢの範囲の切換を行い、デジタルゲイン補正器１８Ａ、１８Ｂでは夫々０〜＋０.５ｄＢ範囲で微調整補正し、デジタルゲイン調整器１９Ａ、１９Ｂｄでは４ｄＢの幅である−１ｄＢ〜＋３ｄＢ範囲の極小ステップで繰返し入力し、Ａ経路及びＢ経路のデータ切換器２０ではクロスフェード動作させる場合の具体的制御方法は基本的には下記のごとき条件で制御される。
【００３８】
（イ）アナログアンプ構成のゲイン切換器１５Ａのゲイン値とゲイン切換器１５Ｂのゲイン値は常に２ｄＢの差であるように制御される。（図６参照）
（ロ）デジタルゲイン調整器１９Ａのゲイン値とデジタルゲイン調整器１９Ｂのゲイン値は常に上記アナログゲイン差を補完する２ｄＢ差であるように制御される。（図６参照）
（ハ）ゲイン切換器１５Ａのゲイン値とデジタルゲイン調整器１９Ａのゲイン値を加算したＡ系路のトータルゲイン値とＢ経路のトータルゲイン値は常に同じであるように制御される。（図６参照）
【００３９】
（ニ）Ａ経路及びＢ系路切換を行なうデータ切換器（ゲインは−１ｄＢ〜＋３ｄＢの範囲）の制御で音量調整を上昇方向に可変している場合はＡ経路からＢ経路へのデータ切換は、デジタルゲイン調整器１９Ｂのゲインが−値から０ｄＢに達した時点で行う。（実質的には＋の微小値）Ｂ経路からＡ経路へのデータ切換は、デジタルゲイン調整器１９Ａのゲインが−値から０ｄＢに達し時点で行う。（実質的には＋の微小値）（図６参照）
（ホ）Ａ経路及びＢ系路切換を行なうデータ切換器（ゲインは−１ｄＢ〜＋３ｄＢの範囲）の制御で音量調整を下降方向に可変している場合はＡ経路からＢ経路へのデータ切換はデジタルゲイン調整器１９Ａのゲインが＋値から０ｄＢに達した時点で行う。（実質的には＋の微小値）Ｂ系路からＡ経路へのデータ切換は、デジタルゲイン調整器１９Ｂのゲインが＋値から０ｄＢに達した時点で行う。（実質的には＋の微小値）（図６参照）
【００４０】
（へ）デジタルゲイン補正器１８Ａ、１８Ｂ及びデジタルゲイン調整器１９Ａ、１９Ｂのゲインは基本的に０ｄＢ未満にならないように制御するが、最終出力に全く使われていない時の系路側のゲインはその間だけ０ｄＢ未満であっても構わない。（クロスフェード期間中は両系統とも０ｄＢ未満にならないように制御する）
（ト）クロスフェード開始と同時か直前に音量調整位置情報の更新を止める。クロスフェード完了後に（必要があれば）止めた時点以降の位置情報の更新を続ける様にする、この理由はクロスフェード動作中に、次のゲイン切換器１５Ａ又は１６Ｂの切換動作が生じるのを防ぐためと、音量調整を下降方向に可変している時にクロスフェードが始まった時にデジタルゲインが０ｄＢ未満になったデータをクロスフェード用に使ってしまうことを防ぐためである。
【００４１】
クロスフェード動作に於いて、実際の回路にもよるがゲイン切換器１５Ａ、１５Ｂの切換動作時に多少のＤＣオフセットの変化が生じることがある。ＡＤＣ１６Ａ、１６Ｂの直前には通常ＤＣカットコンデンサがあり、かつＡＤＣ１６Ａ，１６ＢにはＨＰＦが装備されているので時間がたてばそのオフセット成分は消滅する。アナログアンプ構成のゲイン切換器１５Ａ、１６ＢとＡ経路及びＢ経路のゲイン切換器１９Ａ、１９Ｂは異なる音量調整位置に設定するので、ゆっくりと音量調整をした時はＡ経とＢ経路の切換時点でのＤＣ変動成分はほぼ無くなっていると見込まれるが、すばやく音量調節をした場合には若干ＤＣ変動分が残っていることがある。その状態で瞬間的にＡ経路とＢ経路の切換を行うとＤＣ段差成分がクリック音として聞こえることになる。そこでクロスフェード動作を行い、切替わりの変化量をなだらかにすることで和らいだクリック音にすることができる。またクロスフェード動作によりＡ系路とＢ系路間にある僅かなゲイン差があった場合に生じるクリック成分を和らげる効果もあわせて得られる。
【００４２】
以下、図３乃至図６によって上記した具体的制御方法を詳記する。図３は図１に於けるＡ経路の各回路のゲイン決定アルゴニズムを示すフロ−チャート、図４は図１に於けるＢ経路の各回路のゲイン決定アルゴニズムを示すフロ−チャート、図５は図１に於けるＡ経路とＢ経路のデータ切換器の切換選択決定アルゴニズムを示すフロ−チャートを示すものである。
【００４３】
図３及び図６に於いて、第１ステップＳ１では目標値となるトータルゲイン値をメニューボタン２７に基づき決定する。第２ステップＳ２ではトータルゲイン値の目標値が「−∞以上−７ｄＢ未満」であるか否かを判断し、「ＹＥＳ」であれば第３ステップＳ３に進み、「ＮＯ」であれば第６ステップＳ６に進む、第３ステップＳ３では、ゲイン切換器１５Ａで−１０ｄＢのゲイン値を選択する。第３ステップＳ３の実際の実値は設計誤差分の「ａ１ｄＢ」だけ小さい値が出力される。第４ステップＳ４ではデジタルゲイン補正器１８Ａに「ａ１ｄＢ」のゲイン値を設定した補正を行ない、第５ステップＳ５でデジタルゲイン調整器１９Ａに目標値「−（−１０ｄＢ）」のゲイン値を設定し、第５ステップＳ５の終了後はエンド（Ｓ２５）に至る。
【００４４】
第６ステップＳ６では、目標値は「−７ｄＢ以上−３ｄＢ未満」であるか否かを判断し、「ＹＥＳ」であれば第７ステップＳ７に進み、「ＮＯ」であれば第１０ステップＳ１０に進む、第７ステップＳ７では、ゲイン切換器１５Ａで−６ｄＢのゲイン値を選択する。第７ステップＳ７の実際の実値は設計誤差分の「ａ２ｄＢ」だけ小さい値が出力される。第８ステップＳ８ではデジタルゲイン補正器１８Ａに「ａ２ｄＢ」のゲイン値を設定した補正を行ない、第９ステップＳ９でデジタルゲイン調整器１９Ａに目標値「−（−６ｄＢ）」のゲイン値を設定し、第９ステップＳ９の終了後はエンド（Ｓ２５）に至る。
【００４５】
第１０ステップＳ１０では目標値は「−３ｄＢ以上＋１ｄＢ未満」であるか否かを判断し、「ＹＥＳ」であれば第１１ステップＳ１１に進み、「ＮＯ」であれば、図６に於いて、「＋１ｄＢ以上＋５ｄＢ未満か」、「＋５ｄＢ以上＋９ｄＢ未満か」の次の判定ステップに進むが、以下同様の繰り返しのため、途中のステップは省略する。第１１ステップＳ１１では、ゲイン切換器１５Ａで−２ｄＢのゲイン値を選択する。第１１ステップＳ１１の実際の実値は設計誤差分の「ａ３ｄＢ」だけ小さい値が出力される。第１２ステップＳ１２ではデジタルゲイン補正器１８Ａに「ａ３ｄＢ」のゲイン値を設定した補正を行ない、第１３ステップＳ１３でデジタルゲイン調整器１９Ａに目標値「−（−２０ｄＢ）」のゲイン値を設定し、第１３ステップＳ１３の終了後はエンド（Ｓ２５）に至る。
【００４６】
「＋１ｄＢ以上＋５ｄＢ未満か、」「＋５ｄＢ以上＋９ｄＢ未満か」の判定ステップの途中省略した判定後の「ＮＯ」状態から第１４ステップＳ１４に進む、このステップでは、目標値は「＋９ｄＢ＋１３ｄＢ未満」であるか否かを判断すし、「ＹＥＳ」であれば第１５ステップＳ１５に進み、「ＮＯ」であれば第１８ステップＳ１８に進む、第１５ステップＳ１５では、ゲイン切換器１５Ａで＋１０ｄＢのゲイン値を選択する。第１５ステップＳ１５の実際の実値は設計誤差分の「ａ６ｄＢ」だけ小さい値が出力される。第１６ステップＳ１６ではデジタルゲイン補正器１８Ａに「ａ６Ｂ」のゲイン値を設定した補正を行ない、第１７ステップＳ１７でデジタルゲイン調整器１９Ａに目標値「−（＋１０ｄＢ）」のゲイン値を設定し、第１７ステップＳ１７の終了後はエンド（Ｓ２５）に至る。
【００４７】
第１８ステップＳ１８では、目標値は「＋１３ｄＢ以上＋１７ｄＢ未満」であるか否かを判断し、「ＹＥＳ」であれば第１９ステップＳ１９に進み、「ＮＯ」であれば第２２ステップＳ２２に進む、第１９ステップＳ１９では、ゲイン切換器１５Ａで＋１４ｄＢのゲイン値を選択する。第１９ステップＳ１９の実際の実値は設計誤差分の「ａ７ｄＢ」だけ小さい値が出力される。第２０ステップＳ２０ではデジタルゲイン補正器１８Ａに「ａ７ｄＢ」のゲイン値を設定した補正を行ない、第２１ステップＳ２１でデジタルゲイン調整器１９Ａに目標値「−（＋１４ｄＢ）」のゲイン値を設定し、第２１ステップＳ２１の終了後はエンド（Ｓ２５）に至る。
【００４８】
第１８ステップＳ１８が「ＮＯ」では第２２ステップＳ２２に進み、  第２２ステップＳ２２ではアナログゲイン切換器１５Ａで＋１８ｄＢのゲイン値を選択する。第２２ステップＳ２２の実際の実値は設計誤差分の「ａ８ｄＢ」だけ小さい値が出力される。第２３ステップＳ２３ではデジタルゲイン補正器１８Ａに「ａ８ｄＢ」のゲイン値を設定した補正を行ない、第２４ステップＳ２４でデジタルゲイン調整器１９Ａに目標値「−（＋１８ｄＢ）」のゲイン値を設定し、第９ステップＳ９の終了後はエンド（Ｓ２５）に至る。
【００４９】
次に図４及び図６によって、Ｂ経路の各回路のゲイン決定のアルゴリズムを説明する。図４に於いて、第１ステップＳＴ１では目標値となるトータルゲイン値をメニューボタン２７に基づき決定する。第２ステップＳＴ２ではトータルゲイン値の目標値が「−∞以上−５ｄＢ未満」であるか否かを判断し、「ＹＥＳ」であれば第３ステップＳＴ３に進み、「ＮＯ」であれば第６ステップＳＴ６に進む、第３ステップＳＴ３では、ゲイン切換器１５Ｂで−８ｄＢのゲイン値を選択する。第３ステップＳＴ３の実際の実値は設計誤差分の「ｂ１ｄＢ」だけ小さい値が出力される。第４ステップＳＴ４ではデジタルゲイン補正器１８Ｂに「ｂ１ｄＢ」のゲイン値を設定した補正を行ない、第５ステップＳＴ５でデジタルゲイン調整器１９Ｂに目標値「−（−８ｄＢ）」のゲイン値を設定し、第５ステップＳＴ５の終了後はエンド（ＳＴ２５）に至る。
【００５０】
第６ステップＳＴ６では、目標値は「−５ｄＢ以上−１ｄＢ未満」であるか否かを判断し、「ＹＥＳ」であれば第７ステップＳＴ７に進み、「ＮＯ」であれば第１０ステップＳＴ１０に進む、第７ステップＳＴ７では、ゲイン切換器１５Ｂで−４ｄＢのゲイン値を選択する。第７ステップＳＴ７の実際の実値は設計誤差分の「ｂ２ｄＢ」だけ小さい値が出力される。第８ステップＳＴ８ではデジタルゲイン補正器１８Ｂに「ｂ２ｄＢ」のゲイン値を設定した補正を行ない、第９ステップＳＴ９でデジタルゲイン調整器１９Ｂに目標値「−（−４ｄＢ）」のゲイン値を設定し、第９ステップＳＴ９の終了後はエンド（ＳＴ２５）に至る。
【００５１】
第１０ステップＳＴ１０では目標値は「−１ｄＢ以上＋３ｄＢ未満」であるか否かを判断し、「ＹＥＳ」であれば第１１ステップＳＴ１１に進み、「ＮＯ」であれば、図６に於いて、「−１ｄＢ以上＋３ｄＢ未満か」「＋３ｄＢ以上＋７ｄＢ未満か」「＋７ｄＢ以上＋１１ｄＢ未満」の次の判定ステップに進むが、以下同様の繰り返しのため、途中のステップは省略する。第１１ステップＳＴ１１では、ゲイン切換器１５Ｂで０ｄＢのゲイン値を選択する。第１１ステップＳＴ１１の実際の実値は設計誤差分の「ｂ３ｄＢ」だけ小さい値が出力される。第１２ステップＳＴ１２ではデジタルゲイン補正器１８Ｂに「ｂ３ｄＢ」のゲイン値を設定した補正を行ない、第１３ステップＳＴ１３でデジタルゲイン調整器１９Ｂに目標値「−（０ｄＢ）」のゲイン値を設定し、第１３ステップＳＴ１３の終了後はエンド（ＳＴ２５）に至る。
【００５２】
「−１ｄＢ以上＋３ｄＢ未満か、」「＋３ｄＢ以上＋７ｄＢ未満か」「＋７ｄＢ以上＋１１ｄＢ未満」の判定ステップの途中省略した判定後の「ＮＯ」状態から第１４ステップＳＴ１４に進む、このステップでは、目標値は「＋１１ｄＢ＋１５ｄＢ未満」であるか否かを判断すし、「ＹＥＳ」であれば第１５ステップＳＴ１５に進み、「ＮＯ」であれば第１８ステップＳＴ１８に進む、第１５ステップＳＴ１５では、ゲイン切換器１５Ｂで＋１２ｄＢのゲイン値を選択する。第１５ステップＳＴ１５の実際の実値は設計誤差分の「ｂ６ｄＢ」だけ小さい値が出力される。第１６ステップＳＴ１６ではデジタルゲイン補正器１８Ｂに「ｂ６Ｂ」のゲイン値を設定した補正を行ない、第１７ステップＳＴ１７でデジタルゲイン調整器１９Ｂに目標値「−（＋１２ｄＢ）」のゲイン値を設定し、第１７ステップＳＴ１７の終了後はエンド（ＳＴ２５）に至る。
【００５３】
第１８ステップＳＴ１８では、目標値は「＋１５ｄＢ以上＋１９ｄＢ未満」であるか否かを判断し、「ＹＥＳ」であれば第１９ステップＳＴ１９に進み、「ＮＯ」であれば第２２ステップＳＴ２２に進む、第１９ステップＳＴ１９では、ゲイン切換器１５Ｂで＋１６ｄＢのゲイン値を選択する。第１９ステップＳＴ１９の実際の実値は設計誤差分の「ｂ７ｄＢ」だけ小さい値が出力される。第２０ステップＳＴ２０ではデジタルゲイン補正器１８Ｂに「ｂ７ｄＢ」のゲイン値を設定した補正を行ない、第２１ステップＳＴ２１でデジタルゲイン調整器１９Ｂに目標値「−（＋１６ｄＢ）」のゲイン値を設定し、第２１ステップＳＴ２１の終了後はエンド（ＳＴ２５）に至る。
【００５４】
第１８ステップＳＴ１８が「ＮＯ」では第２２ステップＳＴ２２に進み、  第２２ステップＳＴ２２ではアナログゲイン切換器１５Ｂで＋２０ｄＢのゲイン値を選択する。第２２ステップＳＴ２２の実際の実値は設計誤差分の「ｂ８ｄＢ」だけ小さい値が出力される。第２３ステップＳＴ２３ではデジタルゲイン補正器１８Ｂに「ｂ８ｄＢ」のゲイン値を設定した補正を行ない、第２４ステップＳＴ２４でデジタルゲイン調整器１９Ｂに目標値「−（＋２０ｄＢ）」のゲイン値を設定し、第９ステップＳＴ９の終了後はエンド（ＳＴ２５）に至る。
【００５５】
次に、図５に示しフロ−チャートにより、Ａ経路とＢ経路のデータ切換器２０の切換選択決定アルゴニズムを説明する。図５に於いて、第１ステップＳＴＥ１は目標となる新たなトータルゲイン値を決定するスタートであり、第２ステップＳＴＥ２では目標値は「−∞以上−８ｄＢ未満」であるか否かの判定が行なわれる「ＹＥＳ」の場合は第３ステップＳＥＴ３に進み、Ａ経路及びＢ経路のデータ切換器２０はＡ経路の信号を選択し、エンド（ＳＴＥ１３）に至る。「ＮＯ」の場合は第４ステップＳＴＥ４により、目標値は「−８ｄＢ以上−６ｄＢ未満」であるか否かの判断が行われ、「ＹＥＳ」であれば第５ステップＳＴＰ５に進み、Ａ経路及びＢ経路のデータ切換器２０はＢ経路の信号を選択し、エンド（ＳＴＥ１３）に至る。
【００５６】
第２ステップＳＴＥ２では目標値は「−∞以上−８ｄＢ未満」であるか否かの判定が行なわれる「ＹＥＳ」の場合は第３ステップＳＥＴ３に進み、Ａ経路及びＢ経路のデータ切換器２０はＡ経路の信号を選択し、エンド（ＳＴＥ１３）に至る。「ＮＯ」の場合は第４ステップＳＴＥ４により、目標値は「−８ｄＢ以上−６ｄＢ未満」であるか否かの判断が行われ、「ＹＥＳ」であれば第５ステップＳＴＰ５に進み、Ａ経路及びＢ経路のデータ切換器２０はＢ経路の信号を選択し、エンド（ＳＴＥ１３）に至る。
【００５７】
第６ステップＳＴＥ６では目標値は「−６ｄＢ以上−４ｄＢ未満」であるか否かの判定が行なわれる「ＹＥＳ」の場合は第７ステップＳＥＴ７に進み、Ａ経路及びＢ経路のデータ切換器２０はＡ経路の信号を選択し、エンド（ＳＴＥ１３）に至る。「ＮＯ」の場合は同様な操作の繰り返しのため途中は省略するが第８ステップＳＴＥ８によって、目標値は「１６８ｄＢ以上＋１８ｄＢ未満」であるか否かの判断が行われ、「ＹＥＳ」であれば第９ステップＳＴＰ９に進み、Ａ経路及びＢ経路のデータ切換器２０はＢ経路の信号を選択し、エンド（ＳＴＥ１３）に至る。
【００５８】
第８ステップＳＴＥ８が「ＮＯ」の場合は、第１０ステップＳＴＥ１０に進み、第１０ステップＳＴＥ１０では目標値は「＋１８ｄＢ以上＋２０ｄＢ未満」であるか否かの判定が行なわれる「ＹＥＳ」の場合は第１１ステップＳＥＴ１１に進み、Ａ経路及びＢ経路のデータ切換器２０はＡ経路の信号を選択し、エンド（ＳＴＥ１３）に至る。「ＮＯ」の場合は第１２ステップＳＴＥ１２により、Ａ経路及びＢ経路のデータ切換器２０はＢ経路の信号を選択し、エンド（ＳＴＥ１３）に至るようになされている。
【００５９】
上記構成で、アナログアンプで構成されるゲイン切換器１５Ａ、１５Ｂとデジタルゲイン調整部１９Ａ，１９Ｂが特別動作する場合について説明すると、ゲイン切換部１５Ａ、１５Ｂに、その上限／下限を超えたアナログゲイン値が必要になる場合、アナログゲインは上限/下限値にとどめ、不足分をデジタルゲイン調整器１９Ａ，１９Ｂに振り分けて行うこととする。表１に図１の設定の場合の各部のゲイン値を示す。アナログゲイン切換器１５Ａ、１５Ｂ、デジタルゲイン調整器１９Ａ、１９Ｂの斜線部分が特別動作領域に該当する。下限よりトータルゲインを小さくする場合はそれで特に問題は生じないが、上限を超える場合は＋のデジタルゲインアップ量を大きくするのでノイズレベルが悪化することになる。したがって上限を超える部分の特別動作に関しては最小限にとどめることが望ましい。トータルゲインＡ、Ｂ経路欄はＡ経路及びＢ経路の切換後に使用している側を示している。
【００６０】
ゲイン切換器１５Ａ、１５ＢとＡ／Ｂのデータ切換において、音量調整ＶＲ２５を上下させた時にＡ／Ｂ経路の切換が支障なく連続的に交互に行われるのであれば、これらの位置の設定に関してヒステリシス動作として音量調整ＶＲ２５を上昇させている時にＡ／Ｂデータ切換器２０の切換位置を通過後その切換位置とゲイン切換器１５Ａ，１５Ｂの切換位置を少し下側に移動させ、逆に下降させている時にＡ／Ｂ経路データ切換器２０の切換位置を通過後その切換位置を少し上側に移動させる様に設定しても構わない。音量調整位置情報が切換えポイント付近にあり、かつ実際の位置情報に微小な変動があった場合、切換動作の反復が生じてしまう（＝ノイズとして聞こえるようになる可能性がある）がこれをヒステリシスの効果で抑制することができる。
【産業上の利用可能性】
【００６１】
上述の電子機器及び音響信号調整装置並びに音響信号調整方法では、フロントパネルマイコン２８、メインマイコン３１、ＰＬＤ内の制御部３３のＡ、Ｂ経路制御、Ａ／Ｂデータ切換器３３を別々に構成したがこれら各部をメインマイコンに一体化するようにし、デジタル部の各機能素子よりなる各機能器１５Ａ、１５Ｂ，１６Ａ、１６Ｂ、１８Ａ、１８Ｂ、１９ａ、１９Ｂ、２０、２６、２８、３１、３２、３３のいくつかまたは全ての機能を１つのＩＣ内に格納することも出来る。
【００６２】
本発明によれば、大きな最大許容入力と低ノイズが両立可能で、かつ、音響入力信号の音量調整レベルを最大から最低（-∞）まで連続的に変えてもクリックがなくスムースに変化させることができる。また、ノイズ性能が劣る素子や歪の調整を要する素子などを用いずに済む電子機器及び音響信号調整装置並びに音響信号調整方法を提供することが可能である。その他アナログ信号経路中に連続的な音量調整以外の他のレベル切換機能（例えば基準入力レベル選択やヘッドルーム選択など）が必要な場合、その機能のゲイン変化量を含んで本発明のゲイン可変範囲を設計、制御することでそれらを取り込めば回路規模を削減することができる。
【図面の簡単な説明】
【００６３】
【図１】本発明の電子機器及び音響信号調整装置並びに音響信号調整方法の１形態例を示す全体的系統図である。
【図２】本発明の電子機器及び音響信号調整装置並びに音響信号調整方法のアナログゲインとデジタルゲインの関係およびアナログゲインとＡ／Ｂ経路切換時の位置関係を示す１形態例のグラフである。
【図３】本発明の電子機器及び音響信号調整装置並びに音響信号調整方法のＡ経路のゲイン制御方法を示す１形態例のフローチャートである。
【図４】本発明の電子機器及び音響信号調整装置並びに音響信号調整方法のＢ経路のゲイン制御方法を示す１形態例のフローチャートである。
【図５】本発明の電子機器及び音響信号調整装置並びに音響信号調整方法のＡ／Ｂ切換え経路のゲイン制御方法を示す１形態例のフローチャートである。
【図６】本発明の電子機器及び音響信号調整装置並びに音響信号調整方法の音量調整をしたときの各部のゲインを示す表である。
【図７】従来の音量可変装置の系統図である。
【符号の説明】
【００６４】
１４・・・入力端子、１５Ａ、１５Ｂ・・・ゲイン切換器、１６Ａ、１６Ｂ、２６・・・ＡＤＣ、１７・・・ＰＬＤ、１８Ａ、１８Ｂ・・・デジタルゲイン補正器、１９Ａ、１９Ｂ・・・デジタルゲイン調整器、２０・・・データ切換器、２３・・・音響信号用摘み、２４・・・フロントパネル基板、２５・・・ＶＲ、２６・・・フロントパネルマイコン、２７・・・メニューボタン、３１・・・メインマイコン、３３・・・制御部、３４・・・経路のゲイン制御部、３５・・・Ｂ経路のゲイン制御器、３６・・・Ａ／Ｂ経路の選択制御部
【図１】
2007036377.tif 000003
【図２】
2007036377.tif 000004
【図３】
2007036377.tif 000005
【図４】
2007036377.tif 000006
【図５】
2007036377.tif 000007
【図６】
2007036377.tif 000008
【図７】
2007036377.tif 000009